(57)【要約】【課題】  ＩＣコイン処理装置の内部レイアウトを合理化してその小型化を達成すること。【解決手段】  当該ＩＣコイン処理装置は、垂直方向に扁平な筐体１００を備え、筐体の厚さ方向に対応する側面の１つには、上から順に投入口１０１、第１排出口１０２、及び第２排出口１０３を設け、ＩＣコイン１０は、投入口から投入されて第１排出口から排出されるまでは垂直に起こした姿勢で移動し、ストック部３００に貯留されて第２排出口から排出されるまでは水平に寝かせた姿勢で移動するものとし、ストック部の中心軸Ｌは、読取りアンテナ２１０の読取り位置側に（２０±６）°の角度で傾斜しており、ストック部の下端部、書込みアンテナ２２０の書込み位置、及びＩＣコインをその書込み位置から第２排出口１０３へ搬送する第４経路４４０は、直線的に連続し且つ第２排出口に向って下り勾配している構成とした。【選択図】図２
2010176554.tif 000002
【特許請求の範囲】
【請求項１】
ＩＣコインに記録されたデータの読取り、及び前記ＩＣコインへのデータの書込みを行うＩＣコイン処理装置において、
当該ＩＣコイン処理装置は、垂直方向に扁平な筐体を備え、
前記筐体の厚さ方向に対応する側面の１つには、上から順に投入口、第１排出口、及び第２排出口を設け、
前記筐体の内部には、前記データを読取る読取りアンテナと、
前記データを書込む書込みアンテナと、
前記ＩＣコインを上下方向に積層して貯留する円筒型のストック部と、
前記ＩＣコインを前記投入口から前記読取りアンテナの読取り位置へ搬送する第１経路と、
前記ＩＣコインを前記読取りアンテナの読取り位置から前記第１排出口へ搬送する第２経路と、
前記ＩＣコインを前記読取りアンテナの読取り位置から前記ストック部へ搬送する第３経路と、
前記ＩＣコインを前記ストック部の下端部から前記書込みアンテナの書込み位置へ送り出すベルトコンベヤと、
前記ＩＣコインを前記書込みアンテナの書込み位置から前記第２排出口へ搬送する第４経路と、
前記ＩＣコインを前記投入口で停止させる第１ゲートと、
前記ＩＣコインを前記読取りアンテナの読取り位置で停止させる第２ゲート及び第３ゲートと、
前記ＩＣコインを前記書込みアンテナの書込み位置で停止させる第４ゲートとを備え、
前記第１ゲートを開放すると前記投入口に投入された前記ＩＣコインが前記読取りアンテナの読取り位置にもたらされ、
前記第２ゲートを開放すると前記読取りアンテナの読取り位置で停止させた前記ＩＣコインが前記第２経路にもたらされ、
前記第３ゲートを開放すると前記読取りアンテナの読取り位置で停止させた前記ＩＣコインが前記第３経路にもたらされ、
前記ＩＣコインは、前記投入口から投入されて前記第１排出口から排出されるまでは垂直に起こした姿勢で移動し、前記ストック部に貯留されて第２排出口から排出されるまでは水平に寝かせた姿勢で移動するものとし、
前記ストック部の中心軸は、前記読取りアンテナの読取り位置側に（２０±６）°の角度で傾斜しており、
前記ストック部の下端部、前記書込みアンテナの書込み位置、及び前記第４経路は、直線的に連続し且つ前記第２排出口に向って下り勾配していることを特徴とするＩＣコイン処理装置。
【発明の詳細な説明】
【技術分野】
【０００１】
本発明は、ＩＣコインについてデータの読取り及び書込みを行う装置に関する。
【背景技術】
【０００２】
一般に、パチンコやスロットマシンといった遊戯台の側部には、遊戯媒体の貸出し装置が設置されている。いわゆる台毎サンド、或は台間機等と称されるものである。
【０００３】
遊戯媒体の貸出し装置は、基本的には紙幣や硬貨が投入されるとその価格に応じた量の遊戯媒体を供給するものであるが、近年では、遊戯客の便宜を図り、所定の情報記録媒体を扱うものが主流となりつつある。すなわち、投入した紙幣や硬貨の価格を限度に遊戯客が遊戯媒体の貸出し量を任意に設定し、遊戯客がその遊戯台を離れる際には、投入価格と貸出した遊戯媒体との差額を情報記録媒体に記録してこれを提供し、遊戯客が他の遊戯台で再び遊戯をする場合は、紙幣や硬貨の代わりにその情報記録媒体を貸出し装置に投入することができる構成となっている。特許文献１乃至３には、情報記録媒体としてＩＣコインを処理する装置が開示されている。
【先行技術文献】
【特許文献】
【０００４】
【特許文献１】特開２００１−２３２０４８号公報
【特許文献２】特開２００１−３００１１４号公報
【特許文献３】特開２００１−３１２７０３号公報
【発明の概要】
【発明が解決しようとする課題】
【０００５】
さて、遊戯媒体の貸出し装置は、更なる多機能化及び高性能化が求められるものの、設置スペースが限られており、情報記録媒体としてＩＣコインを処理する装置についても、その設置スペースを有効に利用するべく小型のものが望まれている。本発明は、かかる事情に鑑みてなされたものであり、その目的は、ＩＣコイン処理装置の内部レイアウトを合理化してその小型化を達成することである。
【課題を解決するための手段】
【０００６】
本願第１請求項に記載した発明は、ＩＣコインに記録されたデータの読取り、及び前記ＩＣコインへのデータの書込みを行うＩＣコイン処理装置において、当該ＩＣコイン処理装置は、垂直方向に扁平な筐体を備え、前記筐体の厚さ方向に対応する側面の１つには、上から順に投入口、第１排出口、及び第２排出口を設け、前記筐体の内部には、前記データを読取る読取りアンテナと、前記データを書込む書込みアンテナと、前記ＩＣコインを上下方向に積層して貯留する円筒型のストック部と、前記ＩＣコインを前記投入口から前記読取りアンテナの読取り位置へ搬送する第１経路と、前記ＩＣコインを前記読取りアンテナの読取り位置から前記第１排出口へ搬送する第２経路と、前記ＩＣコインを前記読取りアンテナの読取り位置から前記ストック部へ搬送する第３経路と、前記ＩＣコインを前記ストック部の下端部から前記書込みアンテナの書込み位置へ送り出すベルトコンベヤと、前記ＩＣコインを前記書込みアンテナの書込み位置から前記第２排出口へ搬送する第４経路と、前記ＩＣコインを前記投入口で停止させる第１ゲートと、前記ＩＣコインを前記読取りアンテナの読取り位置で停止させる第２ゲート及び第３ゲートと、前記ＩＣコインを前記書込みアンテナの書込み位置で停止させる第４ゲートとを備え、前記第１ゲートを開放すると前記投入口に投入された前記ＩＣコインが前記読取りアンテナの読取り位置にもたらされ、前記第２ゲートを開放すると前記読取りアンテナの読取り位置で停止させた前記ＩＣコインが前記第２経路にもたらされ、前記第３ゲートを開放すると前記読取りアンテナの読取り位置で停止させた前記ＩＣコインが前記第３経路にもたらされ、前記ＩＣコインは、前記投入口から投入されて前記第１排出口から排出されるまでは垂直に起こした姿勢で移動し、前記ストック部に貯留されて第２排出口から排出されるまでは水平に寝かせた姿勢で移動するものとし、前記ストック部の中心軸は、前記読取りアンテナの読取り位置側に（２０±６）°の角度で傾斜しており、前記ストック部の下端部、前記書込みアンテナの書込み位置、及び前記第４経路は、直線的に連続し且つ前記第２排出口に向って下り勾配している構成のＩＣコイン処理装置である。
【発明の効果】
【０００７】
本発明によれば、ＩＣコイン処理装置の内部レイアウトを合理化してその小型化を達成することができる。
【図面の簡単な説明】
【０００８】
【図１】本発明の実施例に係り、ＩＣコイン処理装置の外観を示す斜視図である。
【図２】本発明の実施例に係り、ＩＣコイン処理装置の内部を示す側面透視図である。
【発明を実施するための形態】
【０００９】
以下に、本発明の実施例を図面に基づいて説明する。図１及び図２に示すＩＣコイン処理装置１は、情報記録媒体としてＩＣコインを用いる遊戯媒体の貸出し装置に組込まれるユニットであり、ＩＣコイン１０に記録されたデータの読取り、及びＩＣコインへのデータの書込みを行うものである。
【００１０】
このＩＣコイン処理装置１は、垂直方向に扁平な筐体１００を備え、筐体１００の厚さ方向に対応する側面の１つには、上から順に投入口１０１、第１排出口１０２、及び第２排出口１０３が設けられている。遊戯媒体の貸出し装置に対しては、投入口１０１、第１排出口１０２、及び第２排出口１０３が設けられた側面が正面側となるように組込まれる。
【００１１】
本例の筐体は、本体部１１０の内部に所定の構成部材を配置して、これに所定の形状の蓋部１２０を装着してなるものである。ＩＣコイン１０は、本体部１１０と蓋部１２０との間を通過する構成となっている。
【００１２】
筐体１００の内部には、データを読取る読取りアンテナ２１０と、データを書込む書込みアンテナ２２０と、ＩＣコイン１０を上下方向に積層して貯留する円筒型のストック部３００が設けられている。
【００１３】
また、ＩＣコイン１０を投入口１０１から読取りアンテナ２１０の読取り位置へ搬送する第１経路４１０と、読取りアンテナ２１０の読取り位置から第１排出口１０２へ搬送する第２経路４２０と、読取りアンテナ２１０の読取り位置からストック部３００へ搬送する第３経路４３０と、ＩＣコイン１０をストック部３００の下端部から書込みアンテナ２２０の書込み位置へ送り出すベルトコンベヤ５００と、ＩＣコイン１０を書込みアンテナ２２０の書込み位置から第２排出口１０３へ搬送する第４経路４４０とが設けられている。
【００１４】
ベルトコンベヤ５００は、モータ５０１の出力軸に設けられたウォームギア５０２に輪列５０３を連結し、この輪列５０３を介してモータ駆動する構成となっている。
【００１５】
更に、ＩＣコイン１０を投入口１０１で停止させる第１ゲート６１０と、読取りアンテナ２１０の読取り位置で停止させる第２ゲート６２０及び第３ゲート６３０と、書込みアンテナ２２０の書込み位置で停止させる第４ゲート６４０とが設けられている。
【００１６】
各ゲート６１０，６２０，６３０，６４０はそれぞれ、筐体１００の内部に配置されたソレノイド６１１，６２１，６３１，６４１にリンク部６１２，６２２，６３２，６４２を介して連結されており、ソレノイド６１１，６２１，６３１，６４１に対する通電・断電に応じて開閉する構成となっている。
【００１７】
そして、第１ゲート６１０を開放すると投入口１０１に投入されたＩＣコイン１０が読取りアンテナ２１０の読取り位置にもたらされ、第２ゲート６２０を開放すると読取りアンテナ２１０の読取り位置で停止させたＩＣコイン１０が第２経路４２０にもたらされ、第３ゲート６３０を開放すると読取りアンテナの読取り位置で停止させたＩＣコイン１０が第３経路４３０にもたらされる構成となっている。
【００１８】
また、ＩＣコイン１０の通過位置の各要所には、ＩＣコイン１０が第１ゲート６１０を通過したことを検出する第１センサ７１０と、ＩＣコイン１０が第２ゲート６２０を通過したことを検出する第２センサ７２０と、ＩＣコイン１０が第３ゲート６３０を通過したことを検出する第３センサ７３０と、ストック部３００に貯留されたＩＣコイン１０が許容量に達したことを検出する第４センサ７４０と、ベルトコンベヤ５００にてＩＣコイン１０が書込みアンテナ２２０の書込み位置へ送り出されたことを検出する第５センサ７５０と、ＩＣコイン１０が第４ゲート６４０を通過したことを検出する第６センサ７６０とが設けられている。本例の場合、これらのセンサとしては、光透過センサを採用している。
【００１９】
読取りアンテナ２１０、書込みアンテナ２２０、ベルトコンベヤ５００、各ゲート６１０，６２０，６３０，６４０、及び各センサ７１０，７２０，７３０，７４０，７５０，７６０は、不図示の制御回路にて制御されている。これらの制御方法は特に限定はしないが、基本的に、遊戯媒体の貸出し装置における紙幣や硬貨の投入価格、遊戯媒体の貸出し量、及び読取ったＩＣコイン１０のデータに応じて第２排出口１０３から排出するＩＣコイン１０に書込みを行う構成となっている。読取り時に異常があるＩＣコイン１０は、第１排出口１０２から排出される。いずれかのセンサ７１０，７２０，７３０，７４０，７５０，７６０にて異常が検出された場合は、第１ゲート６１０を閉鎖する。
【００２０】
本例の場合、ＩＣコイン１０は、投入口１０１から投入されて第１排出口１０２から排出されるまでは垂直に起こした姿勢で移動し、ストック部３００に貯留されて第２排出口１０３から排出されるまでは水平に寝かせた姿勢で移動する。ＩＣコイン１０は、第３経路４３０からストック部３００に落下する際に倒れ込み、水平方向に寝かせた姿勢となる。尚、具体的形状は特に限定はしないが、第３経路４３０には、ＩＣコイン１０が所定の方向に強制的に倒れ込むような凹凸を設けるとよい。
【００２１】
ストック部３００の中心軸Ｌは、読取りアンテナ２１０の読取り位置側に（２０±６）°の角度で傾斜しており、ストック部３００の下端部、書込みアンテナ２２０の書込み位置、及び第４経路４４０は、直線的に連続し且つ第２排出口１０３に向って下り勾配している。
【００２２】
このような構成によると、ＩＣコイン処理装置１の内部レイアウトを合理化ししてその小型化を達成することができる。以下に、その考え方を説明する。
【００２３】
本例によると、ＩＣコイン１０は、ベルトコンベヤ５００による書込みアンテナ２２０への送り出しを除けば、その自重で落下移動することとなる。また、ＩＣコイン１０を垂直に起こした姿勢で移動する場合と、水平に寝かせた姿勢で移動させる場合とを組合せることにより、ＩＣコイン１０の移動スペース全体の狭小化を達成している。特に、水平に寝かせた姿勢で移動させる場合は、ＩＣコイン１０の転がりを利用できないところ、本例では、ストック部３００の下端部、書込みアンテナ２２０の書込み位置、及び第４経路４４０を直線的に連続するものとし、第２排出口１０３に向って下り勾配させている。つまり、ＩＣコイン１０を円滑に移動させるための工夫である。更に、このとき円筒型のストック部３００の中心軸Ｌは、読取りアンテナ２１０の読取り位置側に傾斜することとなる。本願発明者は、ＩＣコイン１０の移動が良好となる傾斜角度を特定すべく試作と実験を繰り返した結果、ストック部３００の中心軸Ｌを（２０±６）°の角度で傾斜させるとよいことをつきとめて、本発明を完成させた。ストック部３００の下端部、書込みアンテナ２２０の書込み位置、及び第４経路４４０の勾配は、中心軸Ｌの角度に依存する。中心軸Ｌの角度が小さ過ぎると、その勾配が緩やかになりＩＣコイン１０の移動がおぼつかなくなる。また、中心軸Ｌの角度が大き過ぎると、第２排出口１０３の位置が下がるので装置が大型化する。そこで本例では、中心軸Ｌの角度をこのような値に設定している。より実用的な角度は（１７±２）°であり、最も望ましい角度は（１６±１）°である。
【００２４】
以上説明したように、本例のＩＣコイン処理装置は、遊戯媒体の貸出し装置に組込まれるユニットとして極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００２５】
本発明のＩＣコイン処理装置は、情報記録媒体としてＩＣコインを用いる遊戯媒体の貸出し装置に組込まれるユニットとして好適に利用することが可能である。
【符号の説明】
【００２６】
１    ＩＣコイン処理装置
１０    ＩＣコイン
１００    筐体
１０１    投入口
１０２    第１排出口
１０３    第２排出口
１１０    本体部
１２０    蓋部
２１０    読取りアンテナ
２２０    書込みアンテナ
３００    ストック部
４１０    第１経路
４２０    第２経路
４３０    第３経路
４４０    第４経路
５００    ベルトコンベヤ
５０１    モータ
５０２    ウォームギア
５０３    輪列
６１０    第１ゲート
６１１    ソレノイド
６１２    リンク部
６２０    第２ゲート
６２１    ソレノイド
６２２    リンク部
６３０    第３ゲート
６３１    ソレノイド
６３２    リンク部
６４０    第４ゲート
６４１    ソレノイド
６４２    リンク部
７１０    第１センサ
７２０    第２センサ
７３０    第３センサ
７４０    第４センサ
７５０    第５センサ
７６０    第６センサ
【図１】
2010176554.tif 000003
【図２】
2010176554.tif 000004